(57)【要約】 【課題】  自由に屈曲させることが可能で樋の上流側と下流側との間で高低差を小さくすることができるパチンコ玉移送樋を提供することを目的とする。【解決手段】  パチンコ玉移送樋１０は第１樋部１０Ａと回動部２０と第２樋部１０Ｂとからなり、回動部２０にはパチンコ玉が通過可能な大きさの第１連通口３４と第２連通口４４を備えた側壁を備え、第１連通口３４は第１樋部１０Ａと回動部２０との間でパチンコ玉が移動可能に形成され、第２連通口４４は第２樋部１０Ｂと回動部２０との間でパチンコ玉が移動可能に形成され、第１樋部１０Ａと第２樋部１０Ｂとは回動部２０周りに互いに回動可能に構成され、第１連通口３４と第２連通口４４とは互いに同じ高さ位置に形成された構成とした。【選択図】      図１
2007252819.tif 000002
【特許請求の範囲】
【請求項１】
パチンコ遊技場においてパチンコ玉を移送するパチンコ玉移送樋であって、
該パチンコ玉移送樋は第１樋部と回動部と第２樋部とからなり、
前記回動部にはパチンコ玉が通過可能な大きさの第１連通口と第２連通口を備えた側壁を備え、
前記第１連通口は前記第１樋部と前記回動部との間でパチンコ玉が移動可能に形成され、
前記第２連通口は前記第２樋部と前記回動部との間でパチンコ玉が移動可能に形成され、
前記第１樋部と前記第２樋部とは回動部周りに互いに回動可能に構成され、
前記第１連通口と前記第２連通口とは互いに同じ高さ位置に形成されたことを特徴とするパチンコ玉移送樋。
【発明の詳細な説明】
【技術分野】
【０００１】
本発明は、パチンコ遊技場において使用される、パチンコ玉を移送するためのパチンコ玉移送樋に関するものである。
【背景技術】
【０００２】
パチンコ遊技場では、複数台の遊技機を列設した遊技島が複数配置されている。遊技島の上部から各遊技機へ補給樋を介してパチンコ玉が供給され、遊技台で使用されたパチンコ玉は、遊技島下部中央へ回収樋を介して集められパチンコ玉揚送装置によって遊技島上部へ揚送され、遊技島内を循環して使用される。また、遊技島上部から小型の中間揚送装置によってパチンコ玉を揚送し、連絡樋を介して隣接して配設された遊技島間でパチンコ玉の移動を行うことによって、各遊技島間の玉貯留量を均等化させている。このようなパチンコ遊技店の構成が例えば特開平７−１９４８３２に開示されている。
【０００３】
上記したようなパチンコ遊技場における遊技島は、遊技機を直線状に配列したものが一般的であるが、遊技場内レイアウト上の都合により曲線状に配列する場合があり、このような遊技島内の補給樋や回収樋などのパチンコ玉を移送する樋は屈曲させる必要があった。また、遊技島間相互のパチンコ玉の移動を行うための連絡樋を隣接する遊技島間に設置する際に、隣接する遊技島間に建物の柱が突き出している場合などは、柱を避けて連絡樋を配置するために連絡樋を屈曲させる必要があった。
【０００４】
パチンコ玉を移送する樋を屈曲させる方法としては、特開昭５７−１６４０８０に開示されたパチンコ玉流送樋の屈折自在接手がある。
これは、上位接続部材と下位接続部材とからなり、上位接続部材は環板の上面にその中穴縁に合わせてＵ状屈曲板の屈曲部を取付け、屈曲板の両端部を外方に延長して樋を接続するための連結板とし、下位接続部材は、上位接続部材の環板の下面に中穴を合わせて回動自在に嵌合され且つ止具で固定される環板の中穴下方に玉受部を形設し、玉受部の側方に開口を設け開口両側から樋を接続するための連結板を突設し、上位接続部材と下位接続部材とが水平方向に自由に回動できるとしている。
【特許文献１】特開平７−１９４８３２号公報
【特許文献２】特開昭５７−１６４０８０号公報
【発明の開示】
【発明が解決しようとする課題】
【０００５】
上記文献によるパチンコ玉を移送する樋を屈曲させる方法は、上位接続部材に接続される樋と下位接続部材に接続される樋とが互いに上下にずれた位置に設けられることになるので、樋の上流側と下流側との間で高低差が大きくなってしまっていた。その結果、遊技島内の限られた高さの中で設置される補給樋などで使用する場合には遊技島の長さを短くする必要があり、一つの遊技島に対する遊技機設置可能台数を減らさなくてはならなかった。また、隣接する遊技島間でパチンコ玉の移動を行うための連絡樋で使用する場合においても、中間揚送装置の高さが決まっているために隣接する遊技島間の距離が離れている場合には連絡樋を架け渡すことができないという問題があった。
【０００６】
本発明は、以上の点に鑑み、自由に屈曲させることが可能で樋の上流側と下流側との間で高低差を小さくすることができるパチンコ玉移送樋を提供することを目的とする。
【課題を解決するための手段】
【０００７】
上記した目的を達成するために、本発明の請求項１は、パチンコ遊技場においてパチンコ玉を移送するパチンコ玉移送樋であって、パチンコ玉移送樋は第１樋部と回動部と第２樋部とからなり、回動部にはパチンコ玉が通過可能な大きさの第１連通口と第２連通口を備えた側壁を備え、第１連通口は第１樋部と回動部との間でパチンコ玉が移動可能に形成され、第２連通口は第２樋部と回動部との間でパチンコ玉が移動可能に形成され、第１樋部と第２樋部とは回動部周りに互いに回動可能に構成され、第１連通口と第２連通口とは互いに同じ高さ位置に形成された構成とした。
【発明の効果】
【０００８】
上記した構成によれば、第１樋部と第２樋部とは回動部周りに互いに回動可能であるので、パチンコ玉移送樋を自由に屈曲させることが可能である。また、第１連通口と第２連通口とが互いに同じ高さ位置に形成されているので、樋の上流側と下流側との間の高低差を小さくすることができる。
【発明を実施するための最良の形態】
【０００９】
以下本発明の実施の形態について説明する。図１は本発明の実施の形態にかかるパチンコ玉移送樋１０を示した図であり、（ａ）は通常時、（ｂ）は屈曲時の状態を示し、図２はパチンコ玉移送樋１０の分解図である。パチンコ玉移送樋１０は第１樋部１０Ａと、回動部２０と、第２樋部１０Ｂとで構成される。また、回動部２０は第１回動部３０と第２回動部４０とから構成される。第1回動部３０は円形の底面３５に円筒状の側壁３２が形成され、側壁３２の一部を底面まで切り欠いた第１連通口３４を有し、この第１連通口３４の位置で断面コの字形状の第１樋部１０Ａが接続され、第１連通口３４と対向する側にも大きく切り欠いた第１開口３６を有している。第２回動部４０も第1回動部３０と同様に円形の底面４５に円筒状の側壁４２が形成され、側壁４２の一部を底面４５まで切り欠いた第２連通口４４を有し、この第２連通口４４の位置で断面コの字形状の第２樋部２０Ｂとが接続され、第２連通口４４と対向する側にも大きく切り欠いた第２開口４６を有している。
【００１０】
第２回動部４０の底面４５は第２樋部１０Ｂの底面より第１回動部３０の底面３５の厚み分だけ段状に低く形成され、さらに第２回動部４０が第１回動部３０よりも一回り大きく形成されているので、第２回動部４０の中に第１回動部３０が収まるようになっており、第２回動部４０の上に第１回動部３０を重ねることによって、回動部２０を構成している。このとき、第２回動部４０の第２開口４６に第１樋部１０Ａが通されている。
【００１１】
第２回動部４０両側の側壁４２には水平方向に長穴４８を有し、第１回動部３０両側の側壁３２の第１開口３６近傍位置にはタップ穴３６を有し、ネジ６２を長穴４８から通してタップ穴３８に緩めた状態で螺合する。そうするとネジ６２が長穴４８内を移動できる範囲内で第１樋部１０Ａと第２樋部１０Ｂとが回動部２０周りに自由に回動できるようになるので、回動角度が決まったらネジ６２を締め付けて固定する。また、第１回動部３０の第１開口３６は、回動させた状態においても第２回動部４０の第２連通口４４を塞がない大きさに形成されている。
【００１２】
第１樋部１０Ａの両側壁から回動部２０を通って第２樋部１０Ｂの両側壁まで、弾性変形可能な薄板状のガイド部材５２を湾曲上に取付け、第１連通口３４近傍の位置及び第２連通口４４近傍の位置にてネジ６４を長穴５４に通してナット６６で固定する。
【００１３】
上記のようにしてパチンコ玉移送樋１０が構成され、ネジ６２が長穴４８内を移動できる範囲内で第１樋部１０Ａと第２樋部１０Ｂとが回動部２０周りに互いに回動可能となり、第１連通口３４を介して第1樋部１０Ａと回動部２０間で、第２連通口４４を介して第２樋部１０Ｂと回動部２０間でそれぞれパチンコ玉が移動可能となっている。また、第１連通口３４と第２連通口４４が同じ高さ位置に配置され、第1樋部１０Ａ、回動部２０、第２樋部１０Ｂの底面をそれぞれ段差なく設けることができる。
【００１４】
第１樋部１０Ａと第２樋部１０Ｂが回動部２０周りに互いに回動可能なので、パチンコ玉移送樋１０を自由に屈曲（図１（ｂ）参照）させることができる。その結果、曲線状の遊技島内でも補給樋や回収樋などとして使用することが可能であり、遊技島間相互でパチンコ玉の移動を行うための連絡樋として使用する際には隣接する遊技島間に建物の柱が突き出している場合でも柱を避けて設置することができる。また、施工する現場にて容易に屈曲角度の調整を行うことができる。
【００１５】
また、図３（ａ）に示すように従来の屈曲可能なパチンコ玉移送樋は、上位接続部材に接続される上位樋と下位接続部材に接続される下位樋が互いに上下にずれた位置に設けられ、上位樋と下位樋の間の高低差（ｈ）が大きくなっていたが、図３（ｂ）に示す本実施の形態のパチンコ玉移送樋は、互いに同じ高さ位置に配置された第１連通口３４、第２連通口４４にてそれぞれ第１樋部１０Ａ、第２樋部１０Ｂを接続したので、第１樋部と第２樋部との間の高低差（ｈ）を小さくすることができる。その結果、遊技島内の限られた高さの中で設置される補給樋などで使用しても遊技島長さを短くする必要がなく一つの遊技島に対する遊技機設置台数を通常通りの数だけ確保することができ、隣接する遊技島間の距離が離れている場合にも遊技島間相互でパチンコ玉の移動を行うための連絡樋として使用することができる。
【００１６】
また、第１連通口３４と第２連通口４４が同じ高さ位置に配置され、第1樋部１０Ａ、回動部２０、第２樋部１０Ｂの底面をそれぞれ段差なく設けられているので、水平にパチンコ玉移送樋１０を配置して第１樋部１０Ａと第２樋部１０Ｂ間で相互にパチンコ玉が移動することができる。また、第１樋部１０Ａの両側壁から回動部２０を通って第２樋部１０Ｂの両側壁まで、弾性変形可能な薄板状のガイド部材５２を設けたので、回動部２０を通過するパチンコ玉が回動部２０の側壁３２、４２に衝突することなくスムーズに移動することができる。
【００１７】
第１樋部１０Ａ、第２樋部１０Ｂがそれぞれ第１回動部３０、第２回動部４０と一体に設けた構成としても別体に取付けた構成としてもよく、第１樋部１０Ａと第２樋部１０Ｂの長さは必要に応じた長さにすればよい。また、第１樋部１０Ａ、第２樋部１０Ｂを回動部２０に対して傾斜させた状態で接続させてもよい。
【図面の簡単な説明】
【００１８】
【図１】実施の形態にかかるパチンコ玉移送樋の構成を示す図である。
【図２】実施の形態にかかるパチンコ玉移送樋の分解図である。
【図３】実施の形態にかかるパチンコ玉移送樋を従来品と比較して示す図である。
【符号の説明】
【００１９】
１０    パチンコ玉移送樋
１０Ａ  第１樋部
１０Ｂ  第２樋部
２０    回動部
３０    第１回動部
３２    側壁
３４    第１連通口
３５    底面
３６    第１開口
３８    タップ穴
４０    第２回動部
４２    側壁
４４    第２連通口
４５    底面
４６    第２開口
４８    長穴
５２    ガイド部材
５４    長穴
６２、６４    ネジ
６６    ナット
【図１】
2007252819.tif 000003
【図２】
2007252819.tif 000004
【図３】
2007252819.tif 000005